(57)【特許請求の範囲】
【請求項１】
表面に撥水剤が塗布された紙と、
一様な厚さのスポンジからなり、一方の面が前記紙の裏面に貼り付けられた緩衝材と
を備える霜付き防止シートを準備し、
冷凍庫内を氷点下に保つと共に、前記緩衝材の他方の面に霧を吹き付け、
当該他方の面を冷凍庫内の冷媒が通されている壁面に押し当てることを特徴とする霜付き防止シートの施工方法。
【発明の詳細な説明】
【技術分野】
【０００１】
この発明は、冷凍庫内での霜付きを防止するシート、及び同シートを冷凍庫に施工する方法に関する。
【背景技術】
【０００２】
冷凍庫に霜が付くと冷却効率が低下するばかりか、冷却空間が狭められたり、解凍時に冷凍庫内の保存物に霜が付着して汚染することがある。特に大学等の研究機関において、冷凍保存した試料が汚染されることは、実験に致命的な影響を及ぼす。また、試料の冷凍保存中に霜取りを実施することは困難である。従って、霜ができるだけ付かないか、付いても簡単に除去できるようにすることが要請されている。
【０００３】
そこで、例えば断熱材の一方の面に粘着剤を塗布し、その上に離型紙を合わせるとともに必要に応じて他方の面にプラスチック等からなる保護シートを貼り付けた結露防止材（特許文献１）や、ポリカーボネート等からなる透明フィルムの一方の面に界面活性剤を含むフィルムからなる霜防止層を形成し、他方の面に接着剤層を形成した霜防止フィルムアッセンブリ（特許文献２）が提案されている。
【先行技術文献】
【特許文献】
【０００４】
【特許文献１】実開平７−４３６７６
【特許文献２】特表２００９−５０９８１５
【発明の概要】
【発明が解決しようとする課題】
【０００５】
しかし、前記結露防止材は、保護シートが無ければ断熱材表面が汚れやすく、汚れが落ちにくいうえ、断熱材が崩落する可能性を有する。かといって、保護シートを貼り付けても−３０℃以下の極低温においては１ヶ月程度で保護シートが割れてしまう。また、前記霜防止フィルムアッセンブリは、界面活性剤の作用で通常の低温では霜が付かないようになっているものの、一旦極低温で多量に付いてしまった霜を除去することはできない。更に、いずれの従来製品も粘着剤（接着剤）を介して冷凍庫内の壁面に固定するものであるため、再利用できないし、粘着剤等で壁面が汚れてしまう。
それ故、この発明の第一の課題は、霜が付きにくく、付いたとしても簡単に霜を除去することができる、耐久性に優れた霜付き防止シートを提供することにある。第二の課題は、再利用可能で、しかも冷凍庫内の壁面を汚すことのない霜付き防止シートを提供することにある。
【課題を解決するための手段】
【０００６】
その課題を解決するために、この発明の霜付き防止シートは、
表面に撥水剤が塗布された紙と、
一様な厚さのスポンジからなり、一方の面が前記紙の裏面に貼り付けられた緩衝材と
を備えることを特徴とする。ここでスポンジとは、通常はポリウレタン等の合成スポンジであるが、天然スポンジであってもよい。
【０００７】
この霜付き防止シートの一つの使用方法は、冷凍庫内の霜が付きやすい個所に緩衝材の他方の面を当てて固定するというものである。紙に塗布された撥水剤の作用で霜付きが抑制される。仮に霜が付いたとしても局所的に霜の上から霜付き防止シートを押すことにより、緩衝材が弾性変形するとともに紙が撓み、霜が剥離する。
【０００８】
もう一つの使用方法は、冷凍庫の扉枠や内扉の周囲に緩衝材の他方の面を当てて固定するというものである。これにより冷凍庫が密封され、外の湿気の浸入が遮断され、霜付きが抑制される。
【０００９】
霜付き防止シートを固定する一つの手段は、前記緩衝材の前記紙への貼り付け面とは反対側の面に粘着層を塗布し、この粘着層を介して固定するというものである。これにより所望の個所にシートを固定することができる。この場合、粘着層に着脱自在に離型フィルムを貼り付けておき、使用の直前に離型フィルムが剥がされる。
【００１０】
他の固定手段は、冷凍庫内を氷点下に保つと共に、粘着層が塗布されていない前記緩衝材の他方の面に霧を吹き付け、当該他方の面を冷凍庫内の冷媒が通されている壁面に手で押し当てるというものである。冷凍庫内が氷点下に保たれており、しかも緩衝材で断熱されているので、手の温もりが霧に伝わる前に霧が氷結する。このため押し当てている間に、吹き付けられた霧が氷結すると同時に氷結した霧を介してシートが固定される。使用終了後は、冷凍庫内を常温に戻すだけで解凍とともにシートが壁面から損傷無く離れるので、再利用可能である。
【発明の効果】
【００１１】
霜付きが抑制され、仮に霜が付いたとしても簡単に除去できるので、冷却効率が向上し電気代の節約につながる。また、コンプレッサーの負担が軽減され、冷凍庫を長持ちさせることができる。更にまた、冷凍庫内を汚染しないので、冷凍庫を使用する実験等の信頼性が増す。
【図面の簡単な説明】
【００１２】
【図１】実施形態１に係る霜付き防止シートを示す厚さ方向断面図である。
【図２】実施形態２に係る霜付き防止シートを示す厚さ方向断面図である。
【発明を実施するための形態】
【００１３】
−実施形態１−
この発明の第一の実施形態に係る霜付き防止シート（以下、単に「シート」という。）を図１とともに説明する。シート１は、紙２及び緩衝材３からなる。紙２は、厚み０．１０〜０．１５ｍｍ、材質７０ｇ／ｍ2程度で、表面にシリコーン系撥水剤が塗布されている。緩衝材３は、密度１０〜２０ｋｇ／ｍ3、硬さ５〜１０ｋｇ、厚み３ｍｍ程度の合成スポンジからなり、紙２の裏面に図略の接着剤で貼り付けられている。
【００１４】
シート１を使用する時は、適当な大きさ及び形状となるようにハサミで切る。そして、冷凍庫内を氷点下に保つと共に、緩衝材３の表面に霧を吹き付け、冷凍庫内の冷媒が通されている壁面に手で押し当てることにより、押し当てている間に氷結した霧を介してシート１が固定される。押し当てる時間は冷凍庫内の設定温度にもよるが、−３０℃なら５秒程度で十分である。使用終了後は、冷凍庫内を常温に戻すだけで解凍とともにシート１が壁面から損傷無く離れるので、再利用可能である。壁面を汚すこともない。
【００１５】
−実施形態２−
この発明の第二の実施形態に係る霜付き防止シート（以下、単に「シート」という。）を図２とともに説明する。シート１１は、実施形態１におけるものと同じ紙２及び緩衝材３に加えてアクリル系粘着層４及び離型フィルム５からなる。
【００１６】
シート１１を使用する時は、適当な大きさ及び形状となるようにハサミで切った後、離型フィルム５を剥がす。そして、冷凍庫の扉枠、棚、内扉などの必要な個所に粘着層４を介して固定する。
【実施例】
【００１７】
−実施例１−
三洋電機株式会社製の冷凍庫（型式：縦型Ｕ５３７／内容積：４８２Ｌ）を−３０℃に設定し、その内壁に実施形態１のシート１を固定し、２０日間放置した。霜はあまり付かなかった。比較のために、同じ型式の冷凍庫にシート１を施工することなく、−３０℃に設定したところ、２０日経過後に厚さ３ｃｍ程度の霜が内壁に付着していた。
【００１８】
また、シート１を施工した冷凍庫の電力量は、施工していない冷凍庫の電力量よりも３０％少なかった（基本料金を除く。）。
【００１９】
−実施例２−
三洋電機株式会社製の冷凍庫（型式：縦型Ｕ５０Ｖ／内容積：５１９Ｌ）を−８０℃に設定し、その内壁に実施形態１のシート１を固定し、内蓋の表面、内蓋の側面、及び冷凍庫の正面枠に実施形態２のシート１１を固定し、２０日間放置した。霜はあまり付かなかった。比較のために、同じ型式の冷凍庫にシート１もシート１１も施工することなく、−８０℃に設定したところ、２０日経過後に厚さ２ｃｍ程度の霜が内壁に付着していた。
【００２０】
また、シート１及びシート１１を施工した冷凍庫の電力量は、施工していない冷凍庫の電力量よりも２０％少なかった（基本料金を除く。）。
【００２１】
−実施例３−
冷凍庫を型式が縦型Ｕ７０Ｖ（内容積：７２８Ｌ）のものを使用した以外は、実施例２と同一条件でシートを施工し、−８０℃に設定し、２０日間放置した。霜はあまり付かなかった。比較のために、同じ型式の冷凍庫にシート１もシート１１も施工することなく、−８０℃に設定したところ、２０日経過後に厚さ２．５ｃｍ程度の霜が内壁に付着していた。
【００２２】
また、シート１及びシート１１を施工した冷凍庫の電力量は、施工していない冷凍庫の電力量よりも２０％少なかった（基本料金を除く。）。
【００２３】
−実施例４−
三洋電機株式会社製の冷凍庫（型式：縦型Ｕ７０Ｖ／内容積：７２８Ｌ）を−８０℃に設定し、その内壁に実施形態１のシート１を固定し、内蓋の表面、内蓋の側面、及び冷凍庫の正面枠に実施形態２のシート１１を固定し、３０日間放置した。厚さ１ｃｍ程度の霜が付いたが、指で押すと霜が割れて剥離した。比較のために、同じ型式の冷凍庫にシート１もシート１１も施工することなく、−８０℃に設定したところ、３０日経過後に厚さ  ３ｃｍ程度の霜が内壁に付着しており、指で押しても割れることなく、つまんで引っ張っても剥離しなかった。
【００２４】
−比較例１−
実施例１において、シート１の紙２に代えて厚さ０．５ｍｍのポリカーボネートフィルムを適用したシートを実施例１と同一条件で施工し、−３０℃に設定したところ、１ヶ月経過後にポリカーボネートフィルムが割れてしまった。
【００２５】
−比較例２−
実施例４において、緩衝材３を有しない以外はシート１及びシート１１と同一仕様のシートを実施例４と同一条件で施工し、２０日間放置した。厚さ３ｃｍ程度の霜が付いたが、指で押しても霜が割れなかった。
【符号の説明】
【００２６】
１、１１  シート
２  紙
３  緩衝材
４  粘着層
５  離型フィルム
【図１】
0005731263.tif 000002
【図２】
0005731263.tif 000003